(57)【特許請求の範囲】
【請求項１】
電圧信号の大きさに応じた周波数の発振信号を生成する発振信号生成器であって、
発振信号の周波数を切り換えるための周波数切換信号を生成する切換信号生成手段と、
前記切換信号生成手段により生成された周波数切換信号に含まれる雑音成分を除去する雑音除去手段と、
前記雑音除去手段により雑音成分が除去された周波数切換信号に基づいて発振周波数の変動範囲を切り換え、電圧信号の大きさに応じた発振周波数の発振信号を生成する発振信号生成手段とを備え、
前記雑音除去手段は、入力端が前記切換信号生成手段に接続されるとともに、出力端が前記発振信号生成手段に接続された論理ゲート回路を用いて構成されたバッファ回路からなる、
ことを特徴とする発振信号生成器。
【請求項２】
駆動電力を供給する第１及び第２の電力供給手段と、
共通電位に接続するための第１及び第２のグランドとを備え、
前記切換信号生成手段は、前記第１の電力供給手段と前記第１のグランドに接続され、
前記雑音除去手段は、前記第２の電力供給手段と前記第２のグランドに接続され、
前記発振信号生成手段は、前記第２の電力供給手段と前記第２のグランドに接続される、
ことを特徴とする請求項１に記載の発振信号生成器。
【請求項３】
局部発振信号の周波数変動範囲を切り換えるための周波数切換信号を生成する切換信号生成手段と、
前記切換信号生成手段により生成された周波数切換信号に含まれる雑音成分を除去する雑音除去手段と、
前記雑音除去手段により雑音成分が除去された周波数切換信号に基づいた周波数変動範囲で、電圧信号の大きさに応じた発振周波数の局部発振信号を生成する発振信号生成手段と、
前記発振信号生成手段が生成した局部発振信号に基づいた電圧信号を生成して前記発振信号生成手段に帰還する信号帰還手段と、
前記発振信号生成手段が生成した局部発振信号を用いて通信を行う通信手段とを備え、
前記雑音除去手段は、入力端が前記切換信号生成手段に接続されるとともに、出力端が前記発振信号生成手段に接続された論理ゲート回路を用いて構成されたバッファ回路からなる、
ことを特徴とする通信装置。
【請求項４】
駆動電力を供給する第１及び第２の電力供給手段と、
共通電位に接続するための第１及び第２のグランドとを備え、
前記切換信号生成手段は、前記第１の電力供給手段と前記第１のグランドに接続され、
前記雑音除去手段は、前記第２の電力供給手段と前記第２のグランドに接続され、
前記発振信号生成手段は、前記第２の電力供給手段と前記第２のグランドに接続され、
前記信号帰還手段は、前記第２の電力供給手段と前記第２のグランドに接続され、
前記通信手段は、前記第２の電力供給手段と前記第２のグランドに接続される、
ことを特徴とする請求項３に記載の通信装置。
【請求項５】
前記切換信号生成手段は、ベースバンドのディジタル信号処理回路である、
ことを特徴とする請求項３又は４に記載の通信装置。
【発明の詳細な説明】
【０００１】
【発明の属する技術分野】
この発明は、発振周波数を切り換えることができる発振信号生成器及びこれを適用した通信装置に係り、特に、発振信号の品質を向上することができる発振信号生成器及びこれを適用した通信装置に関する。
【０００２】
【従来の技術】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）やＤＣＳ（Ｄｉｇｉｔａｌ  Ｃｅｌｌｕｌａｒ  Ｓｙｓｔｅｍ）といった、異なる周波数帯を用いた移動体通信サービスを利用して通信することができる移動電話装置が知られている。
【０００３】
こうした移動電話装置は、局部発振信号を生成するための位相同期ループに用いられる電圧制御発振器の発振周波数を切り換えることにより、異なる周波数帯を用いた移動体通信サービスを利用可能とする。例えば、ＧＳＭの通信サービスを利用する際には、電圧制御発振器の発振周波数を１．１ＧＨｚ〜１．２ＧＨｚの間で可変とし、ＤＣＳの通信サービスを利用する際には、電圧制御発振器の発振周波数を１．５ＧＨｚ〜１．７ＧＨｚの間で可変とする。
ここで、発振周波数を切換可能な電圧制御発振器は、例えば、特開平８−３１６７３１号公報や特開平９−２５２２２０号公報等に開示されている。
【０００４】
図５は、こうした発振周波数を切換可能な電圧制御発振器を用いた移動電話装置における、通信のための処理を実行する回路の構成を示す図である。
図５に示す回路において、位相同期回路５１、ループフィルタ５２、電圧制御発振器を含んだ発振回路５３及び分配回路５４は、位相同期ループを形成し、ベースバンド信号処理回路５０の制御に従った発振周波数の局部発振信号を生成してＲＦ信号処理回路５５に供給する。
【０００５】
図６（ａ）、（ｂ）及び図７（ａ）、（ｂ）は、こうした移動電話装置等に用いられる電圧制御発振器が出力する発振信号の周波数スペクトラムを例示する図である。
図６（ａ）は、中心周波数を１．１６ＧＨｚとし（ＧＳＭ用）、測定帯域幅を１００ｋＨｚとしたときの周波数スペクトラムであり、このとき、発振信号のＣ／Ｎ比（Ｃａｒｒｉｅｒ−ｔｏ−Ｎｏｉｓｅ  ｒａｔｉｏ；搬送波対雑音比）は、オフセット１０ｋＨｚで約−６３ｄＢｃ／Ｈｚである。また、図６（ｂ）は、測定帯域幅を１ＭＨｚとしたときの周波数スペクトラムであり、このとき、発振信号のＣ／Ｎ比は、オフセット１００ｋＨｚで約−８３ｄＢｃ／Ｈｚである。
図７（ａ）は、中心周波数を１．６０ＧＨｚとし（ＤＣＳ用）、測定帯域幅を１００ｋＨｚとしたときの周波数スペクトラムであり、このとき、発振信号のＣ／Ｎ比は、オフセット１０ｋＨｚで約−７０ｄＢｃ／Ｈｚである。また、図７（ｂ）は、測定帯域幅を１ＭＨｚとしたときの周波数スペクトラムであり、このとき、発振信号のＣ／Ｎ比は、オフセット１００ｋＨｚで約−９２ｄＢｃ／Ｈｚである。
【０００６】
【発明が解決しようとする課題】
上記従来技術では、発振回路５３に含まれる電圧制御発振器の発振周波数を切り換えるため、ベースバンド信号処理回路５０から発振回路５３に周波数切換信号を供給する。
しかし、ベースバンド信号処理回路５０から出力される周波数切換信号には、雑音成分が含まれており、発振回路５３が生成する発振信号のＣ／Ｎ比を悪化させる原因となっていた。
【０００７】
この発明は、上記実状に鑑みてなされたものであり、発振信号の品質を向上することができる発振信号生成器を提供することを目的とする。
【０００８】
【課題を解決するための手段】
上記目的を達成するべく、この発明の第１の観点に係る発振信号生成器は、
電圧信号の大きさに応じた周波数の発振信号を生成するものであって、
発振信号の周波数を切り換えるための周波数切換信号を生成する切換信号生成手段と、
前記切換信号生成手段により生成された周波数切換信号に含まれる雑音成分を除去する雑音除去手段と、
前記雑音除去手段により雑音成分が除去された周波数切換信号に基づいて発振周波数の変動範囲を切り換え、電圧信号の大きさに応じた発振周波数の発振信号を生成する発振信号生成手段とを備え、
前記雑音除去手段は、入力端が前記切換信号生成手段に接続されるとともに、出力端が前記発振信号生成手段に接続された論理ゲート回路を用いて構成されたバッファ回路からなる、
ことを特徴とする。
【０００９】
この発明によれば、雑音除去手段は、切換信号生成手段により生成された周波数切換信号に含まれる雑音成分を除去する。発振信号生成手段は、雑音除去手段により雑音成分が除去された周波数切換信号に基づいて発振周波数の変動範囲を切り換え、電圧信号の大きさに応じた発振周波数の発振信号を生成する。
これにより、発振信号のＣ／Ｎ比が周波数切換信号に含まれる雑音成分により悪化することを防止でき、発振信号の品質を向上することができる。
【００１１】
駆動電力を供給する第１及び第２の電力供給手段と、
共通電位に接続するための第１及び第２のグランドとを備え、
前記切換信号生成手段は、前記第１の電力供給手段と前記第１のグランドに接続され、
前記雑音除去手段は、前記第２の電力供給手段と前記第２のグランドに接続され、
前記発振信号生成手段は、前記第２の電力供給手段と前記第２のグランドに接続されることが望ましい。
これにより、切換信号生成手段にて生じた雑音信号が発振信号生成手段に入り込むことがなく、発振信号の品質を向上することができる。
【００１２】
この発明の第２の観点に係る通信装置は、
局部発振信号の周波数変動範囲を切り換えるための周波数切換信号を生成する切換信号生成手段と、
前記切換信号生成手段により生成された周波数切換信号に含まれる雑音成分を除去する雑音除去手段と、
前記雑音除去手段により雑音成分が除去された周波数切換信号に基づいた周波数変動範囲で、電圧信号の大きさに応じた発振周波数の局部発振信号を生成する発振信号生成手段と、
前記発振信号生成手段が生成した局部発振信号に基づいた電圧信号を生成して前記発振信号生成手段に帰還する信号帰還手段と、
前記発振信号生成手段が生成した局部発振信号を用いて通信を行う通信手段とを備え、
前記雑音除去手段は、入力端が前記切換信号生成手段に接続されるとともに、出力端が前記発振信号生成手段に接続された論理ゲート回路を用いて構成されたバッファ回路からなる、
ことを特徴とする。
【００１３】
この発明によれば、雑音除去手段は、切換信号生成手段により生成された周波数切換信号に含まれる雑音成分を除去して発振信号生成手段に供給する。
これにより、周波数切換信号に含まれる雑音成分により発振信号のＣ／Ｎ比が悪化することを防止でき、発振信号の品質を向上することができる。
【００１５】
駆動電力を供給する第１及び第２の電力供給手段と、
共通電位に接続するための第１及び第２のグランドとを備え、
前記切換信号生成手段は、前記第１の電力供給手段と前記第１のグランドに接続され、
前記雑音除去手段は、前記第２の電力供給手段と前記第２のグランドに接続され、
前記発振信号生成手段は、前記第２の電力供給手段と前記第２のグランドに接続され、
前記信号帰還手段は、前記第２の電力供給手段と前記第２のグランドに接続され、
前記通信手段は、前記第２の電力供給手段と前記第２のグランドに接続されることが望ましい。
これにより、切換信号生成手段にて生じた雑音信号が発振信号生成手段に入り込むことがなく、発振信号の品質を向上することができる。
【００１６】
例えば、前記切換信号生成手段は、ベースバンドのディジタル信号処理回路であってもよい。
【００１７】
【発明の実施の形態】
以下に、図面を参照して、この発明の実施の形態に係る発振信号生成器を適用した通信装置について詳細に説明する。
【００１８】
図１は、この発明の実施の形態に係る通信装置１００の構成を示す図である。
この通信装置１００は、例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）やＤＣＳ（Ｄｉｇｉｔａｌ  Ｃｅｌｌｕｌａｒ  Ｓｙｓｔｅｍ）といった、異なる周波数帯を用いた移動体通信サービスを利用して通信可能な移動電話装置である。
図１に示すように、この通信装置１００は、第１及び第２の電源回路１、２と、ベースバンド信号処理回路３と、位相同期回路４と、ループフィルタ５と、バッファ回路６と、発振回路７と、分配回路８と、ＲＦ（Ｒａｄｉｏ  Ｆｒｅｑｕｅｎｃｙ）信号処理回路９とを備えている。
【００１９】
第１の電源回路１は、スイッチングレギュレータ等から構成され、図示せぬ電池等の電源が出力する電圧の大きさを規定して、ベースバンド信号処理回路３に供給するためのものである。
また、第１の電源回路１は、制御部用のディジタルグランドＧＮＤ１に接続されることにより、共通電位に接続されている。
【００２０】
第２の電源回路２は、スイッチングレギュレータ等から構成され、図示せぬ電池等の電源が出力する電圧の大きさを規定して、位相同期回路４、バッファ回路６、発振回路７及びＲＦ信号処理回路９に供給するためのものである。
また、第２の電源回路２は、無線回路用のアナロググランドＧＮＤ２に接続されることにより、共通電位に接続されている。
【００２１】
ベースバンド信号処理回路３は、例えばＭＰＵ（Ｍｉｃｒｏ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）といった、１チップのＢＢ−ＩＣ（ＢａｓｅＢａｎｄ−Ｉｎｔｅｇｒａｔｅｄ  Ｃｉｒｃｕｉｔ）等から構成され、位相同期回路４と発振回路７の動作を制御することにより、ＲＦ信号処理回路９に局部発振信号を供給させる。
この際、ベースバンド信号処理回路３は、ＰＬＬ（Ｐｈａｓｅ  Ｌｏｃｋｅｄ  Ｌｏｏｐ）制御信号を位相同期回路４に送ることにより、位相同期回路４の動作を制御する。ここで、ＰＬＬ制御信号は、例えば位相同期回路４が分配回路８から受けた局部発振信号を分周する際の分周比等を設定するための信号である。
【００２２】
また、ベースバンド信号処理回路３は、バッファ回路６を介して、周波数切換信号を発振回路７に送ることにより、発振回路７の発振周波数を切り換える。
例えば、ベースバンド信号処理回路３は、バッファ回路６を介し、低レベル電圧の周波数切換信号を発振回路７に送ることにより、発振回路７の発振周波数を１．１ＧＨｚ〜１．２ＧＨｚの間で可変とし、ＧＳＭの通信サービスを利用可能とする。他方、ベースバンド信号処理回路３は、バッファ回路６を介し、高レベル電圧の周波数切換信号を発振回路７に送ることにより、発振回路７の発振周波数を１．５ＧＨｚ〜１．７ＧＨｚの間で可変とし、ＤＣＳの通信サービスを利用可能とする。
なお、ベースバンド信号処理回路３は、第１の電源回路１から電力の供給を受けることにより駆動し、制御部用のディジタルグランドＧＮＤ１に接続されることにより共通電位に接続されている。
【００２３】
位相同期回路４は、例えば、位相比較器やプログラマブルディバイダ等を備えた１チップのＰＬＬ−ＩＣ等から構成され、図示せぬ基準発振器から供給される基準周波数の参照信号と、分配回路８から受けた局部発振信号に基づいて、発振回路７の発振周波数を制御するためのものである。
より具体的には、位相同期回路４は、分配回路８から受けた局部発振信号をベースバンド信号処理回路３により設定された分周比で分周し、参照信号との位相差に応じたパルス状の電圧信号を生成する。このパルス状の電圧信号をループフィルタ５により平滑化して発振回路７に供給することにより、位相同期回路４は発振回路７の発振周波数を制御する。
なお、位相同期回路４は、第２の電源回路２から電力の供給を受けることにより駆動し、無線回路用のアナロググランドＧＮＤ２に接続されることにより共通電位に接続されている。
【００２４】
ループフィルタ５は、位相同期回路４から送られたパルス信号を平滑化して発振回路７に供給するための低域通過フィルタである。
【００２５】
バッファ回路６は、ベースバンド信号処理回路３から送られた周波数切換信号に含まれる雑音成分を除去して発振回路７に供給するためのものである。
例えば、バッファ回路６は、図２に示すようなアンド・ゲートＩＣを用いて構成され、ベースバンド信号処理回路３から送られた信号をバッファリングし、周波数切換信号に含まれる雑音成分を除去して発振回路７に供給する。
なお、バッファ回路６は、第２の電源回路２から電力の供給を受けることにより駆動し、無線回路用のアナロググランドＧＮＤ２に接続されることにより、共通電位に接続されている。
【００２６】
発振回路７は、ループフィルタ５から受けた電圧信号の大きさに応じた発振周波数の局部発振信号を生成するためのものであり、バッファ回路６を介してベースバンド信号処理回路３から受けた周波数切換信号に対応して発振周波数の変動範囲を切り換える。発振回路７は、生成した局部発振信号を分配回路８に送る。
なお、発振回路７は、第２の電源回路２から電力の供給を受けることにより駆動し、無線回路用のアナロググランドＧＮＤ２に接続されることにより、共通電位に接続されている。
【００２７】
分配回路８は、発振回路７から受けた局部発振信号を位相同期回路４とＲＦ信号処理回路９に分配するためのものである。
【００２８】
ＲＦ信号処理回路９は、例えば直交変調器、アップコンバータ等を備えたＲＦ−ＩＣ等から構成され、分配回路８により分配された局部発振信号を用いて無線信号を送受信して通信を行うためのものである。
【００２９】
以下に、上述の構成を有する通信装置１００の動作を説明する。
この通信装置１００は、ベースバンド信号処理回路３から発振回路７に送られる周波数切換信号に応じて局部発振信号の発振周波数を切り換えることにより、異なる周波数帯の移動体通信サービスを利用した通信を可能とする。
【００３０】
例えば、ベースバンド信号処理回路３は、バッファ回路６を介し、低レベル電圧の周波数切換信号を発振回路７に送ることにより、発振回路７の発振周波数を１．１ＧＨｚ〜１．２ＧＨｚの間で可変とする。他方、ベースバンド信号処理回路３は、バッファ回路６を介し、高レベル電圧の周波数切換信号を発振回路７に送ることにより、発振回路７の発振周波数を１．５ＧＨｚ〜１．７ＧＨｚの間で可変とする。
【００３１】
位相同期回路４は、分配回路８を介して発振回路７から受けた局部発振信号を、ベースバンド信号処理回路３から受けたＰＬＬ制御信号に応じた分周比で分周し、基準発振器（図示せず）から供給された基準周波数の参照信号との位相差に応じたパルス信号を生成する。
位相同期回路４は、生成したパルス信号をループフィルタ５により平滑化して、発振回路７に供給する。
【００３２】
発振回路７は、ループフィルタ５から受けた信号に応じた発振周波数の発振信号を生成し、分配回路８を介して、局部発振信号としてＲＦ信号処理回路９に供給する。
【００３３】
この際、ベースバンド信号処理回路３から出力される周波数切換信号には、雑音成分が含まれることが多く、発振回路７が生成する発振信号の品質が悪化する原因となる。
【００３４】
そこで、ベースバンド信号処理回路３は、周波数切換信号をバッファ回路６に送って雑音成分を除去させた後、発振回路７に供給する。
ここで、バッファ回路６は、ベースバンド信号処理回路３が電力の供給を受ける第１の電源回路１とは異なる第２の電源回路２から電力の供給を受ける。また、バッファ回路６は、ベースバンド信号処理回路３が接続される制御部用のディジタルグランドＧＮＤ１とは異なる無線回路用のアナロググランドＧＮＤ２に接続されることにより、共通電位に接続されている。
従って、バッファ回路６は、電源ラインや共通電位ラインを通じてベースバンド信号処理回路３等から生じた雑音信号を受けることがなく、周波数切換信号に含まれる雑音成分を適切に除去することができる。
【００３５】
図３（ａ）、（ｂ）及び図４（ａ）、（ｂ）は、発振回路７が出力する発振信号の周波数スペクトラムを例示する図である。
【００３６】
図３（ａ）は、中心周波数を１．１６ＧＨｚとし（ＧＳＭ用）、測定帯域幅を１００ｋＨｚとしたときの周波数スペクトラムであり、このとき、発振信号のＣ／Ｎ比（Ｃａｒｒｉｅｒ−ｔｏ−Ｎｏｉｓｅ  ｒａｔｉｏ；搬送波対雑音比）は、オフセット１０ｋＨｚで約−７９ｄＢｃ／Ｈｚである。また、図３（ｂ）は、測定帯域幅を１ＭＨｚとしたときの周波数スペクトラムであり、このとき、発振信号のＣ／Ｎ比は、オフセット１００ｋＨｚで約−９５ｄＢｃ／Ｈｚである。
すなわち、バッファ回路６が周波数切換信号に含まれる雑音成分を除去することにより、発振回路７が出力する発振信号のＣ／Ｎ比は、図３（ａ）に示す場合で１６ｄＢｃ／Ｈｚ程度、図３（ｂ）に示す場合で１２ｄＢｃ／Ｈｚ程度改善され、発振信号の品質を向上することができる。
【００３７】
図４（ａ）は、中心周波数を１．６０ＧＨｚとし（ＤＣＳ用）、測定帯域幅を１００ｋＨｚとしたときの周波数スペクトラムであり、このとき、発振信号のＣ／Ｎ比は、オフセット１０ｋＨｚで約−７６ｄＢｃ／Ｈｚである。また、図４（ｂ）は、測定帯域幅を１ＭＨｚとしたときの周波数スペクトラムであり、このとき、発振信号のＣ／Ｎ比は、オフセット１００ｋＨｚで約−９４ｄＢｃ／Ｈｚである。
すなわち、バッファ回路６が周波数切換信号に含まれる雑音成分を除去することにより、発振回路７が出力する発振信号のＣ／Ｎ比は、図４（ａ）に示す場合で６ｄＢｃ／Ｈｚ程度、図４（ｂ）に示す場合で２ｄＢｃ／Ｈｚ程度改善され、発振信号の品質を向上することができる。
【００３８】
以上説明したように、この発明によれば、ベースバンド信号処理回路３から発振回路７に発振周波数を切り換えるために送られる周波数切換信号に含まれる雑音成分を、バッファ回路６が除去することにより、発振回路７が生成する発振信号のＣ／Ｎ比を改善することができ、発振信号の品質を向上することができる。
【００３９】
この発明は、上記実施の形態に限定されず、様々な変形及び応用が可能である。
例えば、上記実施の形態では、発振回路７は、ベースバンド信号処理回路３が生成した周波数切換信号に応じて発振周波数の変動範囲を切り換えることにより、ＧＳＭとＤＣＳの通信サービスを利用可能とする局部発振信号を生成するものとして説明したが、これに限定されない。
すなわち、例えば、８００ＭＨｚ帯と１．５ＧＨｚ帯を用いるＰＤＣ（Ｐｅｒｓｏｎａｌ  Ｄｉｇｉｔａｌ  Ｃｅｌｌｕｌａｒ）の通信サービスを利用可能とするように発振周波数の変動範囲を切り換えてもよい。また、例えば、発振周波数の変動範囲を、周波数切換信号に応じてＰＤＣの送信ローカル周波数帯域と受信ローカル周波数帯域で切り換えてもよく、異なる周波数帯を用いて任意の移動体通信サービスを利用するための移動電話装置に適用可能である。
【００４０】
さらに、この発明は、移動電話装置に限定されず、異なる周波数帯域を用いて通信を行う任意の通信装置に適用可能であり、周波数切換信号に応じて発振周波数を切り換える発振回路により生成される発振信号の品質を向上することができる。
【００４１】
また、バッファ回路６は、アンド・ゲートＩＣに限定されず、周波数切換信号に含まれる雑音成分を除去することができる任意の回路を用いて構成可能である。
こうしたバッファ回路６として適用可能な回路としては、例えば、バイポーラ・トランジスタやＦＥＴ（Ｆｉｅｌｄ  Ｅｆｆｅｃｔｅｄ  Ｔｒａｎｓｉｓｔｏｒ）、ダイオード等を用いたスイッチング回路や、インダクタやチョークコイル、トランス等を用いたフィルタ回路などが挙げられる。
【００４２】
【発明の効果】
以上の説明のように、この発明によれば、発振信号の周波数を切り換えるための信号に含まれる雑音成分を除去することにより、発振信号のＣ／Ｎ比を改善することができ、発振信号の品質を向上することができる。
【図面の簡単な説明】
【図１】この発明の実施の形態に係る通信装置の構成を示す図である。
【図２】バッファ回路の構成を例示する図である。
【図３】発振信号の周波数スペクトラムを例示する図である。
【図４】発振信号の周波数スペクトラムを例示する図である。
【図５】従来の移動電話装置における通信のための処理を実行する回路の構成を示す図である。
【図６】従来の移動電話装置に用いられる電圧制御発振器が出力する発振信号の周波数スペクトラムを例示する図である。
【図７】従来の移動電話装置に用いられる電圧制御発振器が出力する発振信号の周波数スペクトラムを例示する図である。
【符号の説明】
１、２    電源回路
３、５０    ベースバンド信号処理回路
４、５１    位相同期回路
５、５２    ループフィルタ
６    バッファ回路
７、５３    発振回路
８、５４    分配回路
９、５５    ＲＦ信号処理回路
１００    通信装置
ＧＮＤ１    ディジタルグランド
ＧＮＤ２    アナロググランド
【図１】
0003593300.tif 000002
【図２】
0003593300.tif 000003
【図３】
0003593300.tif 000004
【図４】
0003593300.tif 000005
【図５】
0003593300.tif 000006
【図６】
0003593300.tif 000007
【図７】
0003593300.tif 000008